【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
画像を符号化する方法であって、当該画像の少なくとも１つのブロックに対して、
当該画像の第１の成分の再構成領域から、当該ブロックの復号された第１の成分のブロック予測子を決定することと、
当該ブロック予測子の第２の成分から少なくとも１つの第２の成分を予測することによって、当該ブロックの当該少なくとも１つの第２の成分を符号化することと
を含む、符号化方法。
【請求項２】
画像を符号化するための装置であって、
メモリと、
当該画像の第１の成分の再構成領域から、当該ブロックの復号された第１の成分のブロック予測子を決定し、
当該ブロック予測子の第２の成分から少なくとも１つの第２の成分を予測することによって、当該ブロックの当該少なくとも１つの第２の成分を符号化する
ように構成されたプロセッサと
を備える、符号化するための装置。
【請求項３】
当該復号された第１の成分のブロック予測子を決定することは、
当該ブロックの前記復号された第１の成分と当該画像の当該第１の成分の当該再構成領域内のブロックの第１の成分との間の歪み尺度を最小化することによって当該ブロック予測子を選択すること
を含む、請求項１に記載の方法。
【請求項４】
前記ブロックの当該第１の成分は、空間予測を使用して符号化される、請求項１又は請求項３に記載の方法。
【請求項５】
当該ブロック予測子の第３の成分から少なくとも１つの第３の成分を予測することによって、当該ブロックの当該少なくとも１つの第３の成分を符号化することをさらに含む請求項１、請求項３、又は請求項４のいずれか一項に記載の方法。
【請求項６】
当該ブロックの当該第２の成分を復号することと、
当該ブロックの当該復号された第１の成分と当該画像の前記第１の成分の前記再構成領域内のブロックの第１の成分との差および当該ブロックの当該復号された第２の成分と当該画像の第２の成分の再構成領域内のブロックの第２の成分との差を最小化することによって別のブロック予測子を決定することと、
当該別のブロック予測子の第３の成分から当該ブロックの少なくとも１つの第３の成分を予測することによって、当該ブロックの当該少なくとも１つの第３の成分を符号化することと
をさらに含む請求項１、請求項３、又は請求項４のいずれか一項に記載の方法。
【請求項７】
当該ブロックの後続ブロックに対して、
当該後続ブロックの第１の成分の前に当該後続ブロックの第２の成分が符号化されることを示すデータを符号化することと、
当該後続ブロックの再構成された第２の成分に従って決定されたブロック予測子を使用して、当該後続ブロックの当該第１の成分を符号化することと
をさらに含む請求項１、又は請求項３〜請求項６のいずれか一項に記載の方法。
【請求項８】
当該復号された第１の成分のブロック予測子を決定することは、
当該ブロックの当該復号された第１の成分と当該画像の前記第１の成分の前記再構成領域内のブロックの第１の成分との間の歪み尺度を最小化することによって当該ブロック予測子を選択すること
を含む、請求項２に記載の装置。
【請求項９】
前記ブロックの当該第１の成分は、空間予測を使用して符号化される、請求項２又は請求項８に記載の装置。
【請求項１０】
当該ブロック予測子の第３の成分から少なくとも１つの第３の成分を予測することによって、当該ブロックの当該少なくとも１つの第３の成分を符号化することをさらに含むように構成された請求項２、請求項８、又は請求項９のいずれか一項に記載の装置。
【請求項１１】
当該ブロックの当該第２の成分を復号することと、
当該ブロックの当該復号された第１の成分と当該画像の前記第１の成分の前記再構成領域内のブロックの第１の成分との差および当該ブロックの当該復号された第２の成分と当該画像の第２の成分の再構成領域内のブロックの第２の成分との差を最小化することによって別のブロック予測子を決定することと、
当該別のブロック予測子の第３の成分から当該ブロックの少なくとも１つの第３の成分を予測することによって、当該ブロックの当該少なくとも１つの第３の成分を符号化することと
をさらに含むように構成された請求項２、請求項８、又は請求項９のいずれか一項に記載の装置。
【請求項１２】
当該ブロックの後続ブロックに対して、
当該後続ブロックの第１の成分の前に当該後続ブロックの第２の成分が符号化されることを示すデータを符号化することと、
当該後続ブロックの再構成された第２の成分に従って決定されたブロック予測子を使用して、当該後続ブロックの当該第１の成分を符号化することと
をさらに含むように構成された請求項２、又は請求項８〜請求項１１のいずれか一項に記載の装置。
【請求項１３】
符号化ビットストリームから画像を復号する方法であって、
前記画像の第１の成分の再構成領域から、当該画像のブロックの復号された第１の成分のブロック予測子を決定することと、
当該ブロック予測子の第２の成分から当該ブロックの少なくとも１つの第２の成分を予測することによって、当該ブロックの当該少なくとも１つの第２の成分を復号することと
を含む、復号方法。
【請求項１４】
符号化ビットストリームから画像を復号するための装置であって、
メモリと、
当該画像の第１の成分の再構成領域から、前記画像のブロックの復号された第１の成分のブロック予測子を決定し、
当該ブロック予測子の第２の成分から当該ブロックの少なくとも１つの第２の成分を予測することによって、当該ブロックの当該少なくとも１つの第２の成分を復号する
ように構成されたプロセッサと
を備える、復号するための装置。
【請求項１５】
当該復号された第１の成分のブロック予測子を決定することは、
当該復号された第１の成分と当該画像の前記第１の成分の前記再構成領域内のブロックの第１の成分との間の歪み尺度を最小化することによって当該ブロック予測子を選択すること
を含む、請求項１３に記載の方法。
【請求項１６】
前記ブロックの当該第１の成分は、空間予測を使用して復号される、請求項１３又は請求項１５に記載の方法。
【請求項１７】
当該ブロック予測子の第３の成分から当該ブロックの少なくとも１つの第３の成分を予測することによって、当該ブロックの当該少なくとも１つの第３の成分を復号することをさらに含む請求項１３、請求項１５、又は請求項１６のいずれか一項に記載の方法。
【請求項１８】
当該ブロックの当該再構成された第１の成分と当該画像の前記第１の成分の前記再構成領域内のブロックの第１の成分との差および前記ブロックの当該再構成された第２の成分と当該画像の当該第２の成分の再構成領域内のブロックの第２の成分との差を最小化することによって別のブロック予測子を決定することと、
当該別のブロック予測子の第１の成分および第２の成分から当該ブロックの少なくとも１つの第３の成分を予測することによって、当該ブロックの当該少なくとも１つの第３の成分を復号することと
をさらに含む請求項１３、請求項１５、又は請求項１６のいずれか一項に記載の方法。
【請求項１９】
前記現在ブロックの後続ブロックに対して、
当該後続ブロックの第１の成分の前に当該後続ブロックの第２の成分が符号化されることを示すデータを当該ビットストリームから復号することと、
当該後続ブロックの復号された第２の成分に従って決定されたブロック予測子を使用して、当該後続ブロックの当該第１の成分を復号することと
をさらに含む請求項１３、又は請求項１５〜請求項１８のいずれか一項に記載の方法。
【請求項２０】
当該復号された第１の成分のブロック予測子を決定することは、
当該復号された第１の成分と当該画像の前記第１の成分の前記再構成領域内のブロックの第１の成分との間の歪み尺度を最小化することによって当該ブロック予測子を選択すること
を含む、請求項１４に記載の装置。
【請求項２１】
前記ブロックの当該第１の成分は、空間予測を使用して復号される、請求項１４又は請求項１５に記載の装置。
【請求項２２】
当該ブロック予測子の第３の成分から当該ブロックの少なくとも１つの第３の成分を予測することによって、当該ブロックの当該少なくとも１つの第３の成分を復号することをさらに含むように構成された請求項１４、請求項２０、又は請求項２１のいずれか一項に記載の装置。
【請求項２３】
当該ブロックの当該再構成された第１の成分と当該画像の前記第１の成分の前記再構成領域内のブロックの第１の成分との差および当該ブロックの当該再構成された第２の成分と当該画像の当該第２の成分の再構成領域内のブロックの第２の成分との差を最小化することによって別のブロック予測子を決定することと、
当該別のブロック予測子の第１の成分および第２の成分から当該ブロックの少なくとも１つの第３の成分を予測することによって、当該ブロックの当該少なくとも１つの第３の成分を復号することと
をさらに含むように構成された請求項１４、請求項２０、又は請求項２１のいずれか一項に記載の装置。
【請求項２４】
当該現在ブロックの後続ブロックに対して、
当該後続ブロックの第１の成分の前に当該後続ブロックの第２の成分が符号化されることを示すデータを当該ビットストリームから復号することと、
当該後続ブロックの復号された第２の成分に従って決定されたブロック予測子を使用して、当該後続ブロックの当該第１の成分を復号することと
をさらに含むように構成された請求項１４又は請求項２０〜請求項２３のいずれか一項に記載の装置。
【請求項２５】
当該プロセッサによって実行されたときに請求項１もしくは請求項３〜請求項７のいずれか一項または請求項１３もしくは請求項１５〜請求項１９のいずれか一項に記載の方法を実行するためのソフトウェアコード命令を含むコンピュータプログラム。
【請求項２６】
符号化画像を表すビットストリームであって、当該画像の少なくとも１つのブロックに対して、
当該ブロックの第１の成分を表す符号化データと、
当該ブロックの第２の成分を表す符号化データと、
当該ブロックの当該第２の成分がブロック予測子の第２の成分によって予測されることを示す符号化データであって、当該ブロック予測子は、以前に再構成された当該ブロックの当該第１の成分に従って決定される、当該符号化データと
を含む、当該ビットストリーム。
【請求項２７】
少なくとも当該ブロックの後続ブロックに対して、
当該後続ブロックの第１の成分の前に当該後続ブロックの第２の成分が符号化されることを示す符号化データと、
当該後続ブロックの当該第２の成分を表す符号化データと、
当該後続ブロックの当該第１の成分を表す符号化データであって、当該第１の成分はブロック予測子の第１の成分からの予測を使用して符号化され、当該ブロック予測子は再構成済みの当該後続ブロックの前記第２の成分に従って決定される、当該符号化データと
を含む、請求項２６に記載のビットストリーム。
【手続補正２】
【補正対象書類名】明細書
【補正対象項目名】０１０６
【補正方法】変更
【補正の内容】
【０１０６】
本開示の原理を使用して画像を符号化する、または符号化ビットストリームから復号するための装置１０００の一実施形態が図１０に示されている。該装置は、メモリ１０２０に相互接続されたプロセッサ１０１０から成る。メモリ１０２０内の命令は、プロセッサ１０１０に、プロセッサ１０１０の入力ポートの１つに入力され得るまたはメモリ１０２０に記憶され得るデジタルビデオ画像データまたは符号化デジタルビデオ画像データ上で、図２、図３、図５、または図６のいずれかの方法を実装する命令を実行させる。
上記実施形態の一部又は全部は、以下の付記のようにも記載されうるが、以下には限られない。
（付記１）
画像を符号化する方法であって、当該画像の少なくとも１つのブロックに対して、
当該画像の第１の成分の再構成領域から、当該ブロックの復号された第１の成分のブロック予測子を決定すること（２２）と、
当該ブロック予測子の第２の成分から少なくとも１つの第２の成分を予測することによって、当該ブロックの当該少なくとも１つの第２の成分を符号化すること（２３）と
を含む、符号化方法。
（付記２）
画像を符号化するための装置であって、
メモリと、
当該画像の第１の成分の再構成領域から、当該ブロックの復号された第１の成分のブロック予測子を決定し、
当該ブロック予測子の第２の成分から少なくとも１つの第２の成分を予測することによって、当該ブロックの当該少なくとも１つの第２の成分を符号化する
ように構成されたプロセッサと
を備える、符号化するための装置。
（付記３）
当該復号された第１の成分のブロック予測子を決定することは、
当該ブロックの当該復号された第１の成分と当該画像の当該第１の成分の当該再構成領域内のブロックの第１の成分との間の歪み尺度を最小化することによって当該ブロック予測子を選択すること（２２１）
を含む、付記１に記載の方法または付記２に記載の装置。
（付記４）
当該ブロックの当該第１の成分は、空間予測を使用して符号化される（２０）、付記１もしくは付記３のいずれか一つに記載の方法または付記２もしくは付記３のいずれか一つに記載の装置。
（付記５）
当該ブロック予測子の第３の成分から少なくとも１つの第３の成分を予測することによって、当該ブロックの当該少なくとも１つの第３の成分を符号化すること（２４、２７）をさらに含む付記１、付記３、もしくは付記４のいずれか一つに記載の方法、またはそのようにさらに構成された付記２、付記３、もしくは付記４に記載の装置。
（付記６）
当該ブロックの当該第２の成分を復号すること（２５）と、
当該ブロックの当該復号された第１の成分と当該画像の当該第１の成分の当該再構成領域内のブロックの第１の成分との差および当該ブロックの当該復号された第２の成分と当該画像の第２の成分の再構成領域内のブロックの第２の成分との差を最小化することによって別のブロック予測子を決定すること（２６）と、
当該別のブロック予測子の第３の成分から当該ブロックの少なくとも１つの第３の成分を予測することによって、当該ブロックの当該少なくとも１つの第３の成分を符号化すること（２７）と
をさらに含む付記１、付記３、もしくは付記４のいずれか一つに記載の方法、またはそのようにさらに構成された付記２、付記３、もしくは付記４のいずれか一つに記載の装置。
（付記７）
当該ブロックの後続ブロックに対して、
当該後続ブロックの第１の成分の前に当該後続ブロックの第２の成分が符号化されることを示すデータを符号化すること（３０）と、
当該後続ブロックの再構成された第２の成分に従って決定されたブロック予測子を使用して、当該後続ブロックの当該第１の成分を符号化すること（３２）と
をさらに含む付記１、もしくは付記３〜付記６のいずれか一つに記載の方法、またはそのようにさらに構成された付記２、もしくは付記３〜付記６のいずれか一つに記載の装置。
（付記８）
符号化ビットストリームから画像を復号する方法であって、
当該画像の第１の成分の再構成領域から、当該画像のブロックの復号された第１の成分のブロック予測子を決定すること（５０）と、
当該ブロック予測子の第２の成分から当該ブロックの少なくとも１つの第２の成分を予測することによって、当該ブロックの当該少なくとも１つの第２の成分を復号すること（５１）と
を含む、復号方法。
（付記９）
符号化ビットストリームから画像を復号するための装置であって、
メモリと、
当該画像の第１の成分の再構成領域から、当該画像のブロックの復号された第１の成分のブロック予測子を決定し、
当該ブロック予測子の第２の成分から当該ブロックの少なくとも１つの第２の成分を予測することによって、当該ブロックの当該少なくとも１つの第２の成分を復号する
ように構成されたプロセッサと
を備える、復号するための装置。
（付記１０）
当該復号された第１の成分のブロック予測子を決定することは、
当該復号された第１の成分と当該画像の当該第１の成分の当該再構成領域内のブロックの第１の成分との間の歪み尺度を最小化することによって当該ブロック予測子を選択すること（２２１）
を含む、付記８に記載の方法または付記９に記載の装置。
（付記１１）
当該ブロックの当該第１の成分は、空間予測を使用して復号される、付記８もしくは付記１０のいずれか一つに記載の方法または付記９もしくは付記１０のいずれか一つに記載の装置。
（付記１２）
当該ブロック予測子の第３の成分から当該ブロックの少なくとも１つの第３の成分を予測することによって、当該ブロックの当該少なくとも１つの第３の成分を復号すること（５２、５４）をさらに含む付記８、付記１０、もしくは付記１１のいずれか一つに記載の方法、またはそのようにさらに構成された付記９〜付記１１のいずれか一つに記載の装置。
（付記１３）
当該ブロックの当該再構成された第１の成分と当該画像の当該第１の成分の当該再構成領域内のブロックの第１の成分との差および当該ブロックの当該再構成された第２の成分と当該画像の当該第２の成分の再構成領域内のブロックの第２の成分との差を最小化することによって別のブロック予測子を決定すること（２６）と、
当該別のブロック予測子の第１の成分および第２の成分から当該ブロックの少なくとも１つの第３の成分を予測することによって、当該ブロックの当該少なくとも１つの第３の成分を復号すること（５４）と
をさらに含む付記８、付記１０、もしくは付記１１のいずれか一つに記載の方法、またはそのようにさらに構成された付記９〜付記１１のいずれか一つに記載の装置。
（付記１４）
当該現在ブロックの後続ブロックに対して、
当該後続ブロックの第１の成分の前に当該後続ブロックの第２の成分が符号化されることを示すデータを当該ビットストリームから復号すること（６０）と、
当該後続ブロックの復号された第２の成分に従って決定されたブロック予測子を使用して、当該後続ブロックの当該第１の成分を復号すること（６２）と
をさらに含む付記８、もしくは付記１０〜付記１３のいずれか一つに記載の方法、またはそのようにさらに構成された付記９もしくは付記１０〜付記１３のいずれか一つに記載の装置。
（付記１５）
当該プロセッサによって実行されたときに付記１もしくは付記３〜付記７のいずれか一つまたは付記８もしくは付記１０〜付記１４のいずれか一つに記載の方法を実行するためのソフトウェアコード命令を含むコンピュータプログラム。
（付記１６）
符号化画像を表すビットストリームであって、当該画像の少なくとも１つのブロックに対して、
当該ブロックの第１の成分を表す符号化データと、
当該ブロックの第２の成分を表す符号化データと、
当該ブロックの当該第２の成分がブロック予測子の第２の成分によって予測されることを示す符号化データであって、当該ブロック予測子は、以前に再構成された当該ブロックの当該第１の成分に従って決定される、当該符号化データと
を含む、当該ビットストリーム。
（付記１７）
少なくとも当該ブロックの後続ブロックに対して、
当該後続ブロックの第１の成分の前に当該後続ブロックの第２の成分が符号化されることを示す符号化データと、
当該後続ブロックの当該第２の成分を表す符号化データと、
当該後続ブロックの当該第１の成分を表す符号化データであって、当該第１の成分はブロック予測子の第１の成分からの予測を使用して符号化され、当該ブロック予測子は再構成済みの当該後続ブロックの第２の成分に従って決定される、当該符号化データと
を含む、付記１６に記載のビットストリーム。